(57)【要約】      （修正有）【課題】より適切に足や指の爪を切ることができる爪切りを提供する。【解決手段】爪切り１０は、一方端に上刃２４を有する平板上刃体１２と、一方端に上刃に対向する下刃２６を有し、上刃と下刃とを離間させるように付勢力が与えられる平板下刃体１４と、平板上刃体の他方端及び平板下刃体の他方端のいずれか一方に回動可能に連結される高さ調整部５６と、平板上刃体及び平板下刃体のいずれか一方を押圧して上刃と下刃とを互いに圧接させるように外力が与えられる押圧部５４とを有する梃子部１６と、を備え、第２梃子部３８の一方端に連結され、外周部に設けられた所定の境界部６５よりも第２梃子部を閉方向に移動させた際に第２梃子部を第１梃子部３６の中央部に接触するような傾斜姿勢を保持させ、境界部よりも第２梃子部を開方向に移動させた際に第２梃子部の起立姿勢を保持させるカム部６２とを備える。【選択図】図１
2018008041.tif 000002
【特許請求の範囲】
【請求項１】
一方端に上刃を有して該上刃側に形成された上刃貫通孔を有する平板上刃体と、
一方端に前記上刃に対向する下刃を有して前記上刃貫通孔に対応する位置に形成された下刃貫通孔を有し、前記上刃と前記下刃とを離間させるように付勢力が与えられる平板下刃体と、
前記平板上刃体と前記平板下刃体とを支持し、前記上刃貫通孔及び前記下刃貫通孔に挿通され、下端部が前記平板下刃体に係止されるとともに上端部が前記平板上刃体の上方に突出する支持部と、
前記支持部の上端部に連結される一方端と外力が加えられて押し下げられる他方端とを有し前記平板上刃体の上面との間の距離が一方端から他方端に向けて広がるように延伸した傾斜姿勢を有する第１梃子部と、前記外力が与えられる際に前記第１梃子部の他方端を押圧する中央部と前記外力が与えられる他方端とを有し前記平板上刃体の上面との間の距離が一方端から他方端に向けて広がるように延伸した傾斜姿勢を有する第２梃子部とを含む梃子部と、
前記第２梃子部の一方端に連結され、外周部に設けられた所定の境界部よりも前記第２梃子部を閉方向に移動させた際に前記第２梃子部を前記第１梃子部の中央部に接触するような傾斜姿勢を保持させ、前記境界部よりも前記第２梃子部を開方向に移動させた際に前記第２梃子部の起立姿勢を保持させるカム部と、
を備えることを特徴とする爪切り。
【請求項２】
請求項１に記載の爪切りにおいて、
前記第１梃子部は、傾斜姿勢で他方端側が前記平板上刃体を向くように曲げられた曲げ部を有し、
前記第２梃子部は、前記曲げ部と接触する傾斜部の一方端の高さが前記支持部の上端部よりも高い位置に設けられることを特徴とする爪切り。
【請求項３】
請求項１または請求項２に記載の爪切りにおいて、
前記平板上刃体、前記平板下刃体、前記支持部及び前記第１梃子部を有する切断部を収納可能なケースを備え、
前記ケースは、
開口された正面部と、該正面部に位置する前記上刃と前記下刃とが圧接される爪切り時に爪が飛散しないように側面を覆う側面部と、前記正面部と反対側に位置する背面を覆い前記カム部が設けられる背面部と、前記第２梃子部を含み上面部を覆う蓋部とを有し、
前記切断部は、前記上刃と前記下刃を前記ケースの背面側に位置させたときに前記開口された正面部を覆う壁部を有することを特徴とする爪切り。
【発明の詳細な説明】
【技術分野】
【０００１】
本発明は、爪切りに関する。
【背景技術】
【０００２】
従来、手や足の指の爪を切る器具として、種々の爪切りが開発されている。例えば、特許文献１には、各々切断用刃を有する１対の相互に連絡した部材、ばね作用に対し切断用刃を近づけるための部材を相対的に移動する装置を有し、該装置は爪切りの切断部分でない側に回転するように取り付けられた調整レバーと該部材の１つの切断部でない端に接する滑り面か或いはこれに接続する運動移動レバーを含む爪切りが開示されている。
【先行技術文献】
【特許文献】
【０００３】
【特許文献１】特公昭４７−０２６０２４号公報
【発明の概要】
【発明が解決しようとする課題】
【０００４】
上記特許文献１のＦｉｇ５に開示された爪切りを従来技術の爪切りとして図７に記載している。図７（ａ）は、従来技術の爪切り１００の収納状態を示す図であり、図７（ｂ）は、第１梃子部１０６及び第２梃子部１０８をそれぞれ傾斜状態とした図である。図７（ｃ）は、図７（ｂ）の傾斜状態から指で挟持力を与えている状態を示す図である。
【０００５】
しかしながら、第２梃子部１０８の一方端が回動軸１１０を介して平板上刃体１１２及び平板下刃体１１４に連結されているため、爪切り１００の平板上刃体１１２及び平板下刃体１１４を床面に平行にしている場合はともかく、平板上刃体１１２及び平板下刃体１１４が少し斜めになると第２梃子部１０８が開いて起立状態や全開状態となることがある。このように第２梃子部１０８が平板上刃体１１２及び平板下刃体１１４の傾斜に応じて勝手に開閉してしまうと、ユーザーは爪を切りづらいという課題がある。
【０００６】
本発明の目的は、より適切に足や手の指の爪を切ることができる爪切りを提供することである。
【課題を解決するための手段】
【０００７】
本発明に係る爪切りは、一方端に上刃を有して該上刃側に形成された上刃貫通孔を有する平板上刃体と、一方端に前記上刃に対向する下刃を有して前記上刃貫通孔に対応する位置に形成された下刃貫通孔を有し、前記上刃と前記下刃とを離間させるように付勢力が与えられる平板下刃体と、前記平板上刃体と前記平板下刃体とを支持し、前記上刃貫通孔及び前記下刃貫通孔に挿通され、下端部が前記平板下刃体に係止されるとともに上端部が前記平板上刃体の上方に突出する支持部と、前記支持部の上端部に連結される一方端と外力が加えられて押し下げられる他方端とを有し前記平板上刃体の上面との間の距離が一方端から他方端に向けて広がるように延伸した傾斜姿勢を有する第１梃子部と、前記外力が与えられる際に前記第１梃子部の他方端を押圧する中央部と前記外力が与えられる他方端とを有し前記平板上刃体の上面との間の距離が一方端から他方端に向けて広がるように延伸した傾斜姿勢を有する第２梃子部とを含む梃子部と、前記第２梃子部の一方端に連結され、外周部に設けられた所定の境界部よりも前記第２梃子部を閉方向に移動させた際に前記第２梃子部を前記第１梃子部の中央部に接触するような傾斜姿勢を保持させ、前記境界部よりも前記第２梃子部を開方向に移動させた際に前記第２梃子部の起立姿勢を保持させるカム部と、を備えることを特徴とする。
【０００８】
また、本発明に係る爪切りにおいて、前記第１梃子部は、傾斜姿勢で他方端側が前記平板上刃体を向くように曲げられた曲げ部を有し、前記第２梃子部は、前記曲げ部と接触する傾斜部の一方端の高さが前記支持部の上端部よりも高い位置に設けられることが好ましい。
【０００９】
また、本発明に係る爪切りにおいて、前記平板上刃体、前記平板下刃体、前記支持部及び前記第１梃子部を有する切断部を収納可能なケースを備え、前記ケースは、開口された正面部と、該正面部に位置する前記上刃と前記下刃とが圧接される爪切り時に爪が飛散しないように側面を覆う側面部と、前記正面部と反対側に位置する背面を覆い前記カム部が設けられる背面部と、前記第２梃子部を含み上面部を覆う蓋部とを有し、前記切断部は、前記上刃と前記下刃を前記ケースの背面側に位置させたときに前記開口された正面部を覆う壁部を有することが好ましい。
【発明の効果】
【００１０】
本発明によれば、爪に接触する上刃の上方に力を加えるための第２梃子部の他方端が設けられているため、上刃と力を加える指とが近接した状態で爪を切ることができる。これにより、爪を切る場合において、爪切りの位置決めが容易になるため、深爪などすることなく、適切に爪を切ることができる。
【００１１】
また、本発明によれば、外周部に設けられた所定の境界部よりも第２梃子部を閉方向に移動させた際に第２梃子部を第１梃子部の中央部に接触するような傾斜姿勢を保持させ、境界部よりも第２梃子部を開方向に移動させた際に第２梃子部の起立姿勢を保持させるカム部を備えている。これにより、傾斜姿勢又は起立姿勢のいずれかの姿勢で保持されるため、本体部の傾斜に応じて第２梃子部が勝手に開閉してしまうようなことはないため、ユーザーは、適切に爪を切ることが出来る。
【図面の簡単な説明】
【００１２】
【図１】本発明に係る第一実施形態の爪切りを示す図である。
【図２】本発明に係る第一実施形態の爪切りを斜視図である。
【図３】本発明に係る第二実施形態の爪切りを示す図である。
【図４】本発明に係る第二実施形態の爪切りを斜視図である。
【図５】本発明に係る第三実施形態の爪切りを示す図である。
【図６】本発明に係る第三実施形態の爪切りを斜視図である。
【図７】従来技術の爪切りを示す図である。
【発明を実施するための形態】
【００１３】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１４】
図１は、本発明に係る第一実施形態の爪切り１０を示す図である。図１（ａ）は、爪切り１０が収納された様子を示す側面図である。図１（ｂ）は、爪切り１０の使用を開始するときの様子を示す側面図である。図１（ｃ）は、爪切り１０の押圧部５４を押圧して上刃２４と下刃２６と圧接させた状態を示す側面図である。
【００１５】
図２（ａ）は、図１（ｂ）に示される爪切り１０を正面側から見た場合の斜視図である。図２（ｂ）は、図１（ｂ）に示される爪切り１０を背面側から見た場合の斜視図である。
【００１６】
爪切り１０は、一方端に上刃２４を有する平板上刃体１２と、一方端に上刃２４に対向する下刃２６を有する平板下刃体１４と、梃子部１６と、支持部１８とを備えている。平板上刃体１２及び平板下刃体１４は、適度な強度を有する材料、例えば、ステンレスによって構成される。なお、平板上刃体１２と平板下刃体１４とは上刃２４と下刃２６とが所定の間隔が開いた状態で固定されるように他方端同士が接合されている。このため、上刃２４と下刃２６とを離間させるような方向に付勢力が加わる。
【００１７】
平板上刃体１２は、一枚の平板部材の一方端を曲げ、その先端が鋭利に磨がれて形成された上刃２４を有している。平板上刃体１２は、上刃２４の近傍において、所定の面積を有する上刃貫通孔２２が形成されている。平板上刃体１２は、他方端において、支持部６０を挿入するための貫通孔２８が形成されている。
【００１８】
平板下刃体１４は、一枚の平板部材の一方端を曲げ、その先端が鋭利に磨がれて形成された下刃２６を有している。また、平板下刃体１４は、下刃２６の近傍において、上刃貫通孔２２に対応する位置に形成された下刃貫通孔２５が形成されている。平板下刃体１４は、他方端において、支持部６０を挿入するための貫通孔３０が形成されている。
【００１９】
また、上述したように、平板上刃体１２と平板下刃体１４とは上刃２４と下刃２６とが対向しつつ、所定の間隔が開かれた状態で固定されるように他方端同士が接合されるが、図１に示されるように平板下刃体１４は、上記所定の間隔が開くように若干曲げられて反り返っている。これにより、上刃２４と下刃２６とが所定の間隔が空いた状態で固定される。
【００２０】
支持部１８は、平板上刃体１２と平板下刃体１４とを支持する。支持部１８は、適度な強度を有する材料、例えば、ステンレスによって構成される。支持部１８は、上刃貫通孔２２及び下刃貫通孔２５に挿通される略円柱形状の本体部１８ａと、本体部１８ａの下部に設けられ下刃貫通孔２５よりも一回り大きい面積を有し平板下刃体１４に係止される係止部１８ｂとを備えている。なお、本体部１８ａの長さは、上端部が平板上刃体１２の上方に突出する程度の長さに設定されている。
【００２１】
梃子部１６は、第１梃子部３６と、第２梃子部３８とを備える。第１梃子部３６は、支持部１８の上端部に回動可能に連結される一方端４２を有している。第１梃子部３６は、平面視で略Ｕ字形状を有する平板本体部４２ａと、支持部１８を貫通し、該貫通孔よりも若干小さい断面積を有する貫通棒部４２ｂとを備えている。
【００２２】
第１梃子部３６は、平板上刃体１２の上面に対して傾斜するように設けられ、外力が加えられて押し下げられる他方端４６を有する。例えば、第１梃子部３６は、図１（ｂ）に示される傾斜状態となる場合に、平板上刃体１２の上面に対し、略４５°の角度（θ１）で延伸するように設定されることが好ましい。
【００２３】
支持部６０は、平板上刃体１２と平板下刃体１４とを支持する。支持部６０は、適度な強度を有する材料、例えば、ステンレスによって構成される。支持部６０は、貫通孔２８及び貫通孔３０に挿通される略四角柱形状（下駄の足ような形状）の２つの柱を有する本体部６０ａと、本体部６０ａの下部に設けられ貫通孔３０よりも一回り大きい面積を有し、弾性部材６３を介して平板下刃体１４に係止される係止部６０ｂとを備えている。なお、本体部６０ａの長さは、上端部が平板上刃体１２の上方に突出する程度の長さに設定されている。
【００２４】
第２梃子部３８は、高さ調整部５６と、傾斜部５８とを備える。高さ調整部５６は、支持部６０の上端部に回動可能に連結される一方端を有している。高さ調整部５６は、第１梃子部３６の一方端４２と似た構造を有しＵ字ではなくＷ字形状を有している。また、第２梃子部３８は、図１（ａ）に示されるように、第１梃子部３６よりも若干幅広に設けられており、両端部に立設部３８ａ，３８ｂが設けられて凹部が形成されている。この凹部に第１梃子部３６の他方端４６が入り込んで幅方向の移動が規制されながら第１梃子部３８が案内される。
【００２５】
高さ調整部５６は、第２梃子部３８の一方端に連結されるカム部６２が設けられている。また、平板下刃体１４の他方端と係止部６０ｂとの間には、ゴム等を用いた２つの貫通孔を有する弾性部材６３が挿入されている。
【００２６】
カム部６２は、外周部に略直角度の角部を有する境界部６５が形成されている。境界部６５の角部の頂点が図１（ａ）（ａ２）に示されるように平板上刃体１２の他方端と接触している状態の場合に本体部６０ａが上方に引き上げられる状態となるため弾性部材６３が圧縮された状態となり付勢力が大きくなる。
【００２７】
カム部６２は、境界部６５の角部の頂点が平板上刃体１２の他方端と接触した状態から閉方向に移動させた際に、図１（ａ）（ａ１）に示されるように、第２梃子部３８を第１梃子部３６の中央部に接触するような傾斜姿勢を保持させるための平坦部６７が形成されている。ここで、図１（ｂ）に示されるように、第１梃子部３６と第２梃子部３８とが傾斜状態の場合には、平坦部６７が接触する方向に移動しようとする。このため、第２梃子部３８が第１梃子部３６を抑えつけるように力が働く。
【００２８】
また、カム部６２は、境界部６５の角部の頂点が平板上刃体１２の他方端と接触した状態から第２梃子部３８を開方向に移動させた際に、図１（ａ）（ａ３）に示されるように、第２梃子部３８の起立姿勢を保持させるための平坦部６９が形成されている。そして、平坦部６７と平坦部６９とで略９０度の角度をなしており、平坦部６７と平坦部６９の間に境界部６５の角部の頂点が形成されている。
【００２９】
傾斜部５８は、高さ調整部５６との境界から平板上刃体１２の上面に対して傾斜するように設けられ、外力が与えられる際に第１梃子部３６の他方端４６を押圧する中央部と、平板上刃体１２を押圧して上刃２４と下刃２６とを互いに圧接させるように外力が与えられる押圧部５４とを備える。例えば、傾斜部５８は、図１（ｂ）の傾斜状態の場合に、平板上刃体１２の上面に対し、略４５°の角度（θ２）で延伸するように設定されることが好ましい。
【００３０】
続いて、上記構成の爪切り１０の作用について説明する。ユーザー（使用者）が爪切り１０を用いて足の指の爪を切る場合に、人差し指で支持部１８の係止部１８ｂを支持しつつ、親指で押圧部５４を抑えながら、位置決めを行う。このとき、上刃２４と下刃２６の近くに指が位置しているため、爪を切る対象の足の指を中指や薬指等で引掛けながら、位置決めの微調整をすることができ、正確な位置決めをすることができる。その状態で、親指により押圧部５４を押し付ける。
【００３１】
そして、押圧部５４が押し下げられると、中央部が第１梃子部３６の他方端４６を押し付けることになる。そうすると、他方端４６が力点となり、境界部４４が支点となって、梃子の原理により、貫通棒部４２ｂを介して支持部１８が引き上げられる。これにより、図１（ｃ）に示されるように、上刃２４と下刃２６とが閉じて爪を切ることができる。このように、爪切り１０によれば、爪を切る対象の足の指の爪に対し、正確な位置決めを行った上で爪を切ることができるため、深爪を抑制することができる利点がある。
【００３２】
ここで、図７に示される従来技術の爪切り１００は、第１梃子部１０６の傾斜角度が図７（ｂ）に示されるように平板上刃体１１２と第１梃子部１０６とのなす角度θ１１が小さい。このため、第２梃子部１０８に力を加えた場合であっても、図７（ｃ）に示されるように、上刃１０２と下刃１０４とが離間されたまま圧接されない状態となる。これでは、爪を切ることができない。
【００３３】
これに対し、本発明に係る実施形態の爪切り１０は、第１梃子部３６の傾斜角度θ１が略４５°と大きく設定されている。さらに、傾斜姿勢で他方端４６側が平板上刃体１２を向くように曲げられた曲げ部を有している。これにより、第１梃子部３６と第２梃子部３８とのなす角度θ３が小さくなるようにしている。これにより、第２梃子部３８を押圧しやすい状態にしている。
【００３４】
また、第１梃子部３６を押しやすいように高さ調整部５６を用いて、第２梃子部３８は、曲げ部と接触する傾斜部５８の一方端５８Ｔの高さが支持部１８の上端部よりも高い位置に設ける。このため、カム部６２から直接延伸させる場合に比べてθ２の角度を小さくすることができ、第１梃子部３６と第２梃子部３８とのなす角度θ３も小さくすることができる。これにより、第２梃子部３８を押圧しやすい状態とすることができるため、ユーザーは、押圧部５４に力を与えることで、図１（ｃ）に示されるように上刃２４と下刃２６とを圧接させて爪を切ることができる。
【００３５】
そして、境界部６５を境界として第２梃子部３８を傾斜状態又は起立状態のいずれかに固定されている。したがって、爪切り１０の傾斜に応じて第２梃子部３８が勝手に開閉してしまうようなことはないため、ユーザーは、本体部の傾斜に応じて第２梃子部３８が勝手に開閉してしまうような煩わしさを感じることなく、爪を切ることに集中することができる。
【００３６】
なお、爪切り１０を使用しない状態では、第２梃子部３８を開いて起立させた後、第１梃子部３６を起立させる。その後、第１梃子部３６を指でつまんで支持部１８の周方向に１８０°回転させて、第１梃子部３６を倒して収納する。このとき、第１梃子部３６において、境界部４４が頂点にくるようになる。そして、第２梃子部３８を倒して境界部４４に当接させて、図１（ａ）に示されるように、爪切り１０を収納状態とすることができる。
【００３７】
次に、本発明に係る第二実施形態の爪切り１０ａを示す図である。図３（ａ）は、爪切り１０ａがケース７０から分離された状態を示す図と爪切り１０ａが収納された様子を示す側面図を示している。図３（ｂ）は、爪切り１０ａの使用を開始するときの様子を示す側面図である。図３（ｃ）は、爪切り１０ａの押圧部５４を押圧して上刃２４と下刃２６と圧接させた状態を示す側面図である。
【００３８】
図４（ａ）は、図３（ｂ）に示される爪切り１０ａを正面側から見た場合の斜視図である。図４（ｂ）は、図３（ｂ）に示される爪切り１０ａを背面側から見た場合の斜視図である。
【００３９】
爪切り１０ａは、一方端に上刃２４を有する平板上刃体１２と、一方端に上刃２４に対向する下刃２６を有する平板下刃体１４と、梃子部１６とを備えている。爪切り１０ａと爪切り１０の平板上刃体１２、平板下刃体１４及び梃子部１６とは、ほぼ同じ構造を有しており、相違点は、第２梃子部３８がケース７０に設けられている点である。
【００４０】
ケース７０は、正面部７１に位置する上刃２４と下刃２６とが圧接される爪切り時に爪が飛散しないように側面を覆う機能を有する。ケース７０は、所定の柔軟性を有しつつ、ある程度の強度を有する強化プラスチック等で構成されており、平板下刃体１４の底面を覆う底面部７４と底面部７４に立設する側面部７２，７３とを備えている。
【００４１】
ケース７０の背面側には、突出する土台部６５ｂが形成されており、土台部６５ｂには略四角柱形状の２つの柱を有する本体部６５ａが立設している。この本体部６５ａの上方にカム部６２が設けられている。カム部６２と土台部６５ｂとの間には、２つの貫通孔（日の字状）の蓋部材６１と２つの貫通孔の弾性部材６３ａが設けられている。これにより、爪切り１０と同様に境界部６５を境界として第２梃子部３８を傾斜状態又は起立状態のいずれかに固定することができる。
【００４２】
続いて、上記構成の爪切り１０ａの作用について説明する。図３（ａ）では爪切り１０ａとケース７０から離された状態が描かれている。ユーザーが爪切り１０ａを使用する場合には、爪切り１０ａをケース７０に装着して、図３（ｂ）の状態にする。
【００４３】
爪切り１０ａにおいても第２梃子部３８を操作することで、ユーザーは爪切り１０と同様に適切に爪を切ることができる。爪切り１０ａを用いて足の指の爪を切る場合に、人差し指で平板下刃体１４を支持しつつ、親指で押圧部５４を抑えながら、位置決めを行う。
【００４４】
このとき、上刃２４と下刃２６の近くに指が位置しているため、爪を切る対象の足の指を中指や薬指等で引掛けながら、位置決めの微調整をすることができ、正確な位置決めをすることができる。その状態で、親指により押圧部５４を押し付けることにより、図３（ｃ）に示されるように上刃２４と下刃２６とを圧接することができるため、爪を切ることができる。
【００４５】
また、爪切り１０ａには、平板上刃体１２と平板下刃体１４との間に形成された空間領域である側面をケース７０の側面部７２，７３が覆っているため、切り取られた爪が飛散してしまうことを防止することができる。
【００４６】
次に、本発明に係る第三実施形態の爪切り１０ｂを示す図である。図５（ａ）は、爪切り１０ｂがケース８０から分離された状態を示す図と爪切り１０ｂが収納された様子を示す側面図を示している。図５（ｂ）は、爪切り１０ｂの使用を開始するときの様子を示す側面図である。図５（ｃ）は、爪切り１０ｂの押圧部５４を押圧して上刃２４と下刃２６と圧接させた状態を示す側面図である。
【００４７】
図６（ａ）は、図５（ｂ）に示される爪切り１０ｂを正面側から見た場合の斜視図である。図６（ｂ）は、図５（ｂ）に示される爪切り１０ｂを背面側から見た場合の斜視図である。
【００４８】
爪切り１０ｂは、一方端に上刃２４を有する平板上刃体１２と、一方端に上刃２４に対向する下刃２６を有する平板下刃体１４と、梃子部１６とを備えている。爪切り１０ｂと爪切り１０の平板上刃体１２、平板下刃体１４及び梃子部１６とは、ほぼ同じ構造を有しており、相違点は、第２梃子部３８がケース８０に設けられている点と、壁部１５を有する点である。
【００４９】
壁部１５は、平板下刃体１４の他方端から立設する。壁部１５は、上刃２４と下刃２６をケース８０の背面側に位置させたときに開口された正面部を覆う機能を有する。これにより、図５（ａ）の下図に示されるように爪切り１０ｂがすっぽりと筐体に収納されたような状態とすることができる。
【００５０】
ケース８０は、開口された正面部８１と、正面部８１に位置する上刃２４と下刃２６とが圧接される爪切り時に爪が飛散しないように側面を覆う側面部８２，８３と、正面部８１と反対側に位置する背面を覆いカム部が設けられる背面部８５と、第２梃子部３８を含み上面部を覆う蓋部３９とを有している。
【００５１】
ケース８０の背面部８５側には、土台部６７ｂが形成されており、土台部６７ｂには略四角柱形状の２つの柱を有する本体部６７ａが立設している。この本体部６７ａの上方にカム部６２が設けられている。ここでは、カム部６２が第２梃子部３８の他方端の一部をなすように構成されている。第１梃子部３６を案内する凹みを有する第２梃子部３８は、ケース８０の蓋部３９としても機能する。
【００５２】
カム部６２と土台部６７ｂとの間には、ケース８０の背面部８５の一部を構成し貫通孔を有する蓋部８５Ｂと２つの貫通孔を有する弾性部材６３ｂが設けられている。これにより、爪切り１０と同様に境界部６５を境界として第２梃子部３８を傾斜状態又は起立状態のいずれかに固定することができる。
【００５３】
続いて、上記構成の爪切り１０ｂの作用について説明する。図５（ａ）には、爪切り１０ｂがケース８０から分離された状態が示されている。ユーザーが爪切り１０ｂを使用する場合には、爪切り１０ｂをケース８０に装着して、図５（ｂ）の状態にする。
【００５４】
爪切り１０ｂにおいても第２梃子部３８を操作することで、ユーザーは爪切り１０と同様に適切に爪を切ることができる。爪切り１０ｂを用いて足の指の爪を切る場合に、人差し指で平板下刃体１４を支持しつつ、親指で押圧部５４を抑えながら、位置決めを行いながら、適切に爪を切ることができる。
【００５５】
また、爪切り１０ｂには、平板上刃体１２と平板下刃体１４との間に形成された空間領域である側面をケース８０の側面部８２，８３が覆っているため、切り取られた爪が飛散してしまうことを防止することができる。また、上刃２４と下刃２６をケース８０の背面側に位置させたときに壁部１５が開口された正面部８１を覆う機能を有する。これにより、図５（ａ）の下図に示されるように爪切り１０ｂがすっぽりと筐体に収納されたような状態とすることができる。
【符号の説明】
【００５６】
１２  平板上刃体、１４  平板下刃体、１５  壁部、１６  梃子部、１８  支持部、１８ａ  本体部、１８ｂ  係止部、２２  上刃貫通孔、２４  上刃、２５  下刃貫通孔、２６  下刃、２８  貫通孔、３０  貫通孔、３６  第1梃子部、３８  第２梃子部、３８ａ，３０ｂ  立設部、３９  蓋部、４２  一方端、４２ａ  平板本体部、４２ｂ  貫通棒部、４４  境界部、４６  他方端、５４  押圧部、５６  調整部、５８  傾斜部、５８Ｔ  一方端、６０  支持部、６０ａ  本体部、６０ｂ  係止部、６１  蓋部材、６２  カム部、６３，６３ａ，６３ｂ  弾性部材、６５  境界部、６５ａ  本体部、６５ｂ  土台部、６７  平坦部、６７ａ  本体部、６７ｂ  土台部、６９  平坦部、７０  ケース、７１  正面部、７２，７３  側面部、７４  底面部、８０  ケース、８１  正面部、８２，８３  側面部、８５  背面部、８５Ｂ  蓋部、１０２  上刃、１０４  下刃、１０６  第１梃子部、１０８  第２梃子部、１１０  回動軸、１１２  平板上刃体、１１４  平板下刃体。
【図１】
2018008041.tif 000003
【図２】
2018008041.tif 000004
【図３】
2018008041.tif 000005
【図４】
2018008041.tif 000006
【図５】
2018008041.tif 000007
【図６】
2018008041.tif 000008
【図７】
2018008041.tif 000009
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
一方端に上刃を有して該上刃側に形成された上刃貫通孔を有する平板上刃体と、
一方端に前記上刃に対向する下刃を有して前記上刃貫通孔に対応する位置に形成された下刃貫通孔を有し、前記上刃と前記下刃とを離間させるように付勢力が与えられる平板下刃体と、
前記平板上刃体と前記平板下刃体とを支持し、前記上刃貫通孔及び前記下刃貫通孔に挿通され、下端部が前記平板下刃体に係止されるとともに上端部が前記平板上刃体の上方に突出する支持部と、
前記支持部の上端部に連結される一方端と外力が加えられて押し下げられる他方端とを有し前記平板上刃体の上面との間の距離が一方端から他方端に向けて広がるように延伸した傾斜姿勢を有する第１梃子部と、前記外力が与えられる際に前記第１梃子部の他方端を押圧する中央部と前記外力が与えられる他方端とを有し前記平板上刃体の上面との間の距離が一方端から他方端に向けて広がるように延伸した傾斜姿勢を有する第２梃子部とを含む梃子部と、
前記第２梃子部の一方端に連結され、外周部に設けられた所定の境界部よりも前記第２梃子部を閉方向に移動させた際に前記第２梃子部を前記第１梃子部の中央部に接触するような傾斜姿勢を保持させ、前記境界部よりも前記第２梃子部を開方向に移動させた際に前記第２梃子部の起立姿勢を保持させるカム部と、
を備え、
前記第１梃子部は、傾斜姿勢で他方端側が前記平板上刃体を向くように曲げられた曲げ部を有し、
前記第２梃子部は、前記曲げ部に接触した接点と他方端の上側角部とを結ぶ線と、前記接点と前記第１梃子部の境界部とを結ぶ線のなす角度が鋭くなるように曲げられた角度調整部を有することを特徴とする爪切り。
【請求項２】
請求項１に記載の爪切りにおいて、
前記平板上刃体、前記平板下刃体、前記支持部及び前記第１梃子部を有する切断部を収納可能なケースを備え、
前記ケースは、
開口された正面部と、該正面部に位置する前記上刃と前記下刃とが圧接される爪切り時に爪が飛散しないように側面を覆う側面部と、前記正面部と反対側に位置する背面を覆い前記カム部が設けられる背面部と、前記第２梃子部を含み上面部を覆う蓋部とを有し、
前記切断部は、前記上刃と前記下刃を前記ケースの背面側に位置させたときに前記開口された正面部を覆う壁部を有することを特徴とする爪切り。
【手続補正２】
【補正対象書類名】明細書
【補正対象項目名】０００７
【補正方法】変更
【補正の内容】
【０００７】
本発明に係る爪切りは、一方端に上刃を有して該上刃側に形成された上刃貫通孔を有する平板上刃体と、一方端に前記上刃に対向する下刃を有して前記上刃貫通孔に対応する位置に形成された下刃貫通孔を有し、前記上刃と前記下刃とを離間させるように付勢力が与えられる平板下刃体と、前記平板上刃体と前記平板下刃体とを支持し、前記上刃貫通孔及び前記下刃貫通孔に挿通され、下端部が前記平板下刃体に係止されるとともに上端部が前記平板上刃体の上方に突出する支持部と、前記支持部の上端部に連結される一方端と外力が加えられて押し下げられる他方端とを有し前記平板上刃体の上面との間の距離が一方端から他方端に向けて広がるように延伸した傾斜姿勢を有する第１梃子部と、前記外力が与えられる際に前記第１梃子部の他方端を押圧する中央部と前記外力が与えられる他方端とを有し前記平板上刃体の上面との間の距離が一方端から他方端に向けて広がるように延伸した傾斜姿勢を有する第２梃子部とを含む梃子部と、前記第２梃子部の一方端に連結され、外周部に設けられた所定の境界部よりも前記第２梃子部を閉方向に移動させた際に前記第２梃子部を前記第１梃子部の中央部に接触するような傾斜姿勢を保持させ、前記境界部よりも前記第２梃子部を開方向に移動させた際に前記第２梃子部の起立姿勢を保持させるカム部と、を備え、前記第１梃子部は、傾斜姿勢で他方端側が前記平板上刃体を向くように曲げられた曲げ部を有し、前記第２梃子部は、前記曲げ部に接触した接点と他方端の上側角部とを結ぶ線と、前記接点と前記第１梃子部の境界部とを結ぶ線のなす角度が鋭くなるように曲げられた角度調整部を有することを特徴とする。
【手続補正３】
【補正対象書類名】明細書
【補正対象項目名】０００８
【補正方法】削除
【補正の内容】